【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】
基材としての天然有機物と、高吸水性樹脂と、抗菌消臭用粉体と、バインダーとを含む造粒物であって、
前記抗菌消臭用粉体は、素材の成分が抽出されていない茶の粉体であること
を特徴とする動物用排泄物処理材。
【請求項２】
請求項１に記載の動物用排泄物処理材において、
前記天然有機物は、含有量３０乃至８０重量部で粒度８４０μｍ以下の木粉あるいはその他の有機物であり、
前記高吸水性樹脂は、含有量１乃至１０重量部で粉状であり、
前記抗菌消臭用粉体は、含有量５乃至２０重量部で製茶加工の過程で排出される粉茶であり、
前記バインダーは、含有量３乃至１０重量部で粒度７４μｍ以下の水溶性の高い天然高分子、あるいは、含有量１５乃至３０重量部で粒度７４μｍ以下の粘性の高いベントナイトの粉体であること
を特徴とする動物用排泄物処理材。
【請求項３】
基材としての天然有機物と、抗菌消臭用粉体と、バインダーとを含む造粒物であって、
前記抗菌消臭用粉体は、素材の成分が抽出されていない茶の粉体であること
を特徴とする動物用排泄物処理材。
【請求項４】
請求項３に記載の動物用排泄物処理材において、
前記天然有機物は、含有量３０乃至８０重量部で粒度８４０μｍ以下の木粉あるいはその他の有機物であり、
前記抗菌消臭用粉体は、含有量５乃至２０重量部で製茶加工の過程で排出される粉茶であり、
前記バインダーは、含有量３乃至１０重量部で粒度７４μｍ以下の水溶性の高い天然高分子、あるいは、含有量１５乃至３０重量部で粒度７４μｍ以下の粘性の高いベントナイトの粉体であること
を特徴とする動物用排泄物処理材。
【請求項５】
基材としての天然有機物と、高吸水性樹脂と、素材の成分が抽出されていない茶の粉体である抗菌消臭用粉体と、バインダーとを高速攪拌機に投入し、
前記高速攪拌機により均一に混合して得られた混合物を造粒し、
前記により得られた造粒物を乾燥して製品とすること
を特徴とする動物用排泄物処理材の製造方法。
【請求項６】
請求項５に記載の動物用排泄物処理材の製造方法において、
含有量が粒度８４０μｍ以下で３０乃至８０重量部の有機物の主粉体と、
含有量が１乃至１０重量部の高吸水性樹脂の粉体と、
含有量が５乃至２０重量部の成分抽出が行われていない茶の抗菌消臭用粉体と、
含有量が粒度７４μｍ以下で３乃至１０重量部の水溶性の高い天然高分子、あるいは、含有量が１５乃至３０重量部の粘性の高いベントナイトよりなるバインダーとを高速攪拌機に投入し、
前記高速攪拌機により毎分３００〜８００回転の攪拌羽根の回転速度で均一に混合して得られた混合物を造粒し、
前記により得られた造粒物を、嵩密度が０．２０乃至０．５ｇ／ｃｍ3 であり、かつ、吸水能力が自重の１．３乃至３．５倍となるよう乾燥したこと
を特徴とする動物用排泄物処理材の製造方法。
【請求項７】
基材としての天然有機物と、素材の成分が抽出されていない茶の粉体である抗菌消臭用粉体と、バインダーとを高速攪拌機に投入し、
前記高速攪拌機により均一に混合して得られた混合物を造粒し、
前記により得られた造粒物を乾燥して製品とすること
を特徴とする動物用排泄物処理材の製造方法。
【請求項８】
請求項７に記載の動物用排泄物処理材の製造方法において、
含有量が粒度８４０μｍ以下で３０乃至８０重量部の有機物の主粉体と、
含有量が５乃至２０重量部の成分抽出が行われていない茶の抗菌消臭用粉体と、
含有量が粒度７４μｍ以下で３乃至１０重量部の水溶性の高い天然高分子、あるいは、含有量が１５乃至３０重量部の粘性の高いベントナイトよりなるバインダーとを高速攪拌機に投入し、
前記高速攪拌機により毎分３００〜８００回転の攪拌羽根の回転速度で均一に混合して得られた混合物を造粒し、
前記により得られた造粒物を、嵩密度が０．２０乃至０．５ｇ／ｃｍ3 であり、かつ、吸水能力が自重の１．３乃至３．５倍となるよう乾燥したこと
を特徴とする動物用排泄物処理材の製造方法。
【手続補正２】
【補正対象書類名】明細書
【補正対象項目名】０００９
【補正方法】変更
【補正の内容】
【０００９】
【課題を解決するための手段】
前記課題を解決するために、請求項１は、基材としての天然有機物と、高吸水性樹脂と、抗菌消臭用粉体と、バインダーとを含む造粒物であって、前記抗菌消臭用粉体は、素材の成分が抽出されていない茶の粉体であることを特徴とする動物用排泄物処理材である。
請求項２の発明は、請求項１に記載の動物用排泄物処理材において、前記天然有機物は、含有量３０乃至８０重量部で粒度８４０μｍ以下の木粉あるいはその他の有機物であり、前記高吸水性樹脂は、含有量１乃至１０重量部で粉状であり、前記抗菌消臭用粉体は、含有量５乃至２０重量部で製茶加工の過程で排出される粉茶であり、前記バインダーは、含有量３乃至１０重量部で粒度７４μｍ以下の水溶性の高い天然高分子、あるいは、含有量１５乃至３０重量部で粒度７４μｍ以下の粘性の高いベントナイトの粉体であることを特徴とする動物用排泄物処理材である。
【手続補正３】
【補正対象書類名】明細書
【補正対象項目名】００１０
【補正方法】変更
【補正の内容】
【００１０】
請求項３の発明は、基材としての天然有機物と、抗菌消臭用粉体と、バインダーとを含む造粒物であって、前記抗菌消臭用粉体は、素材の成分が抽出されていない茶の粉体であることを特徴とする動物用排泄物処理材である。
請求項４の発明は、請求項３に記載の動物用排泄物処理材において、前記天然有機物は、含有量３０乃至８０重量部で粒度８４０μｍ以下の木粉あるいはその他の有機物であり、前記抗菌消臭用粉体は、含有量５乃至２０重量部で製茶加工の過程で排出される粉茶であり、前記バインダーは、含有量３乃至１０重量部で粒度７４μｍ以下の水溶性の高い天然高分子、あるいは、含有量１５乃至３０重量部で粒度７４μｍ以下の粘性の高いベントナイトの粉体であることを特徴とする動物用排泄物処理材である。
【手続補正４】
【補正対象書類名】明細書
【補正対象項目名】００１１
【補正方法】変更
【補正の内容】
【００１１】
請求項５の発明は、基材としての天然有機物と、高吸水性樹脂と、素材の成分が抽出されていない茶の粉体である抗菌消臭用粉体と、バインダーとを高速攪拌機に投入し、前記高速攪拌機により均一に混合して得られた混合物を造粒し、前記により得られた造粒物を乾燥して製品とすることを特徴とする動物用排泄物処理材の製造方法である。
請求項６の発明は、請求項５に記載の動物用排泄物処理材の製造方法において、含有量が粒度８４０μｍ以下で３０乃至８０重量部の有機物の主粉体と、含有量が１乃至１０重量部の高吸水性樹脂の粉体と、含有量が５乃至２０重量部の成分抽出が行われていない茶の抗菌消臭用粉体と、含有量が粒度７４μｍ以下で３乃至１０重量部の水溶性の高い天然高分子、あるいは、含有量が１５乃至３０重量部の粘性の高いベントナイトよりなるバインダーとを高速攪拌機に投入し、前記高速攪拌機により毎分３００〜８００回転の攪拌羽根の回転速度で均一に混合して得られた混合物を造粒し、
前記により得られた造粒物を、嵩密度が０．２０乃至０．５ｇ／ｃｍ3 であり、かつ、吸水能力が自重の１．３乃至３．５倍となるよう乾燥したことを特徴とする動物用排泄物処理材の製造方法である。
【手続補正５】
【補正対象書類名】明細書
【補正対象項目名】００１２
【補正方法】変更
【補正の内容】
【００１２】
請求項７の発明は、基材としての天然有機物と、素材の成分が抽出されていない茶の粉体である抗菌消臭用粉体と、バインダーとを高速攪拌機に投入し、前記高速攪拌機により均一に混合して得られた混合物を造粒し、前記により得られた造粒物を乾燥して製品とすることを特徴とする動物用排泄物処理材の製造方法である。
請求項８の発明は、請求項７に記載の動物用排泄物処理材の製造方法において、含有量が粒度８４０μｍ以下で３０乃至８０重量部の有機物の主粉体と、含有量が５乃至２０重量部の成分抽出が行われていない茶の抗菌消臭用粉体と、含有量が粒度７４μｍ以下で３乃至１０重量部の水溶性の高い天然高分子、あるいは、含有量が１５乃至３０重量部の粘性の高いベントナイトよりなるバインダーとを高速攪拌機に投入し、前記高速攪拌機により毎分３００〜８００回転の攪拌羽根の回転速度で均一に混合して得られた混合物を造粒し、前記により得られた造粒物を、嵩密度が０．２０乃至０．５ｇ／ｃｍ3 であり、かつ、吸水能力が自重の１．３乃至３．５倍となるよう乾燥したことを特徴とする動物用排泄物処理材の製造方法である。